(57)【要約】【課題】灯具本体の外側の空間において浮遊する電力線の量を抑制できる照明器具を提供する。【解決手段】照明器具２は、灯具本体４と、光源５１とを備える。灯具本体４は、電力線収納空間７を有する。光源５１は、灯具本体４に設けられる。光源５１に電力を供給する電力線１１は、電力線収納空間７を介して灯具本体４の外側へ導出される。【選択図】図２
2016192302.tif 000002
【特許請求の範囲】
【請求項１】
電力線収納空間を有する灯具本体と、
前記灯具本体に設けられる光源と
を備え、
前記光源に電力を供給する電力線が、前記電力線収納空間を介して前記灯具本体の外側へ導出される、照明器具。
【請求項２】
前記灯具本体は、環状に形成されたヒートシンクを有し、
前記ヒートシンクによって囲まれた空間が、前記電力線収納空間を含む、請求項１に記載の照明器具。
【請求項３】
前記灯具本体は、電力線挿通部を有する天板を有し、
前記電力線は、前記電力線挿通部を挿通されて前記灯具本体の外側へ導出される、請求項１又は請求項２に記載の照明器具。
【請求項４】
前記電力線収納空間において前記電力線を固定する固定部材を更に備える、請求項１〜請求項３のいずれか１項に記載の照明器具。
【請求項５】
前記灯具本体を傾動可能に支持する一対のアームを有する支持部を更に備える、請求項１〜請求項４のいずれか１項に記載の照明器具。
【請求項６】
前記支持部は、前記一対のアームを連結する連結アームを更に有し、
前記連結アームは、突出部を有し、
前記突出部は、前記突出部を旋回可能に支持させるための第１機構を含む、請求項５に記載の照明器具。
【請求項７】
請求項６に記載の照明器具と、
前記第１機構に対応する第２機構と
を備え、
前記第１機構と前記第２機構とにより前記突出部が旋回可能に支持される、照明ユニット。
【請求項８】
電源装置を有する電源ユニットを更に備え、
前記電源装置は、前記電力線を介して前記光源に供給される電力を生成し、
前記電源ユニットは、前記第２機構を含む、請求項７に記載の照明ユニット。
【発明の詳細な説明】
【技術分野】
【０００１】
本発明は、照明器具、及びそれを備えた照明ユニットに関する。
【背景技術】
【０００２】
照明器具の一種として、作業者が手によって灯具本体の姿勢を変更することができる照明器具が知られている。具体的には、作業者は、灯具本体を水平軸回りに傾動（回動）させたり、灯具本体を鉛直軸回りに旋回（回動）させたりすることができる。この種の照明器具は、変更後の灯具本体の姿勢が維持できるように構成されている。したがって、光が照射される方向を所望の方向に設定することができる。
【０００３】
例えば、特許文献１に記載された照明器具では、一対のアームが灯具本体を傾動可能に支持するとともに、支持本体部が、一対のアームを連結する連結部材を旋回可能に支持する。また、灯具本体に設けられた光源に電力を供給する電力線が、灯具本体の上面から出て、支持部本体の天板に設けられている導入孔から電源に配線される。
【先行技術文献】
【特許文献】
【０００４】
【特許文献１】特開２００９−１２９８５０号公報
【発明の概要】
【発明が解決しようとする課題】
【０００５】
しかしながら、灯具本体の姿勢を変更できる照明器具では、灯具本体の傾動及び旋回を規制しないように、電力線が余裕を持って灯具本体に接続されている。このため、灯具本体の姿勢の設定後（光の照射方向の設定後）に、電力線の余剰長さ分が灯具本体の外側の空間に浮遊するという問題があった。
【０００６】
本発明は上記課題に鑑みてなされたものであり、その目的は、灯具本体の外側の空間において浮遊する電力線の量（長さ）を抑制することができる照明器具、及びそれを備えた照明ユニットを提供することにある。
【課題を解決するための手段】
【０００７】
本願に開示する照明器具は、灯具本体と、光源とを備える。前記灯具本体は、電力線収納空間を有する。前記光源は、前記灯具本体に設けられる。前記光源に電力を供給する電力線は、前記電力線収納空間を介して前記灯具本体の外側へ導出される。
【０００８】
本願に開示する照明器具において、前記灯具本体は、環状に形成されたヒートシンクを有してもよい。この場合、前記ヒートシンクによって囲まれた空間が、前記電力線収納空間を含んでもよい。
【０００９】
本願に開示する照明器具において、前記灯具本体は、電力線挿通部を有する天板を有してもよい。この場合、前記電力線は、前記電力線挿通部を挿通されて前記灯具本体の外側へ導出される。
【００１０】
本願に開示する照明器具は、前記電力線収納空間において前記電力線を固定する固定部材を更に備えてもよい。
【００１１】
本願に開示する照明器具は、前記灯具本体を傾動可能に支持する一対のアームを有する支持部を更に備えてもよい。
【００１２】
本願に開示する照明器具において、前記支持部は、前記一対のアームを連結する連結アームを更に有してもよい。この場合、前記連結アームが突出部を有するとともに、前記突出部が、前記突出部を旋回可能に支持させるための第１機構を含んでもよい。
【００１３】
本願に開示する照明ユニットは、上記の照明器具と、前記第１機構に対応する第２機構とを備える。前記第１機構と前記第２機構とにより前記突出部が旋回可能に支持される。
【００１４】
本願に開示する照明ユニットは、電源装置を有する電源ユニットを更に備えてもよい。この場合、前記電源装置は、前記電力線を介して前記光源に供給される電力を生成する。前記電源ユニットは、前記第２機構を含んでもよい。
【発明の効果】
【００１５】
本発明によれば、灯具本体の外側の空間において浮遊する電力線の量（長さ）を抑制することができる。
【図面の簡単な説明】
【００１６】
【図１】本発明の実施形態に係る照明ユニットを示す部分断面図である。
【図２】本発明の実施形態に係る照明ユニットを示す他の部分断面図である。
【図３】（ａ）は本発明の実施形態に係る照明ユニットの一部を拡大して示す拡大断面図である。（ｂ）は本発明の実施形態に係る照明ユニットの一部を拡大して示す他の拡大断面図である。
【図４】本発明の実施形態に係る照明ユニットの他の一部を拡大して示す拡大断面図である。
【発明を実施するための形態】
【００１７】
以下、図面を参照して本発明の実施形態を説明する。但し、図中、同一又は相当部分については同一の参照符号を付して説明を繰り返さない。
【００１８】
まず図１を参照して、本実施形態に係る照明ユニット１の構成を説明する。図１は、照明ユニット１を示す部分断面図である。図１に示すように、照明ユニット１は、照明器具２と、電源ユニット３とを備える。電源ユニット３は天井やダクトプラグ等に取り付けられる。照明器具２は、電源ユニット３から吊り下げられる。
【００１９】
照明器具２は、灯具本体４と、支持部９とを備える。灯具本体４は、光源ユニット５と、ヒートシンク６と、天板８とを有する。光源ユニット５は、光を出射する発光素子アレイ５１（光源の一例）と、レンズ５２とを含む。
【００２０】
発光素子アレイ５１は、複数の発光素子を含む。本実施形態では、発光素子アレイ５１はＬＥＤ（Ｌｉｇｈｔ  Ｅｍｉｔｔｉｎｇ  Ｄｉｏｄｅ）アレイである。換言すると、発光素子アレイ５１は複数のＬＥＤを含む。発光素子アレイ５１は、例えば、複数のＬＥＤを蛍光体で封止することにより形成されるＣＯＢ（Ｃｈｉｐ  ｏｎ  Ｂｏａｒｄ）であり得る。あるいは、発光素子アレイ５１は、複数のＬＥＤチップを基板の実装面に載置して基板の導電パターンに電気的に接続するＳＭＤ（Ｓｕｒｆａｃｅ  Ｍｏｕｎｔ  Ｄｅｖｉｃｅ）であり得る。ＬＥＤチップは、ＬＥＤと蛍光体とを１ユニット化することにより形成される。
【００２１】
レンズ５２は、発光素子アレイ５１の光出射面を覆うように配置される。発光素子アレイ５１から出射した光は、レンズ５２を通過して、灯具本体４の外部へ向けて照射される。
【００２２】
ヒートシンク６は環状に形成されており、ヒートシンク６の外周面には複数の放熱フィン６１が形成されている。ヒートシンク６は、発光素子アレイ５１の背面側（発光素子アレイ５１の光出射面とは反対の面側）に設けられて、主に発光素子アレイ５１から発生する熱を複数の放熱フィン６１によって放熱する。これにより、発光素子アレイ５１の温度上昇を抑制することができる。
【００２３】
本実施形態では、ヒートシンク６によって囲まれた空間が電力線収納空間７を含む。天板８は、第１ビス８１によって灯具本体４に固定されて、電力線収納空間７の開口を閉塞、又は略閉塞する。
【００２４】
支持部９は、一対の支持アーム９１、９２と、連結アーム９３とを有する。一対の支持アーム９１、９２は灯具本体４を挟んで互いに対向し、連結アーム９３は一対の支持アーム９１、９２を連結する。本実施形態では、一対の支持アーム９１、９２の基端部同士が連結アーム９３を介して一体的に連結される。また、連結アーム９３は、電源ユニット３によって旋回可能に支持される。詳しくは、連結アーム９３は、第１軸Ａ１を中心に旋回可能に支持される。これにより、第１軸Ａ１を中心として灯具本体４を旋回させることが可能となる。なお、第１軸Ａ１は、発光素子アレイ５１の光出射面が鉛直下向きの姿勢である場合に灯具本体４から出射される光の軸と平行である。
【００２５】
一対の支持アーム９１、９２は、灯具本体４を回動可能に支持する。本実施形態では、各支持アーム９１、９２の先端部が第２ビス９４によって灯具本体４に連結されている。これにより、第２ビス９４の軸心である第２軸Ａ２を中心として灯具本体４を傾動（回動）させることが可能となる。
【００２６】
また、灯具本体４は、灯具本体４と第２ビス９４との間の摩擦力以上の力が灯具本体４に加えられた場合にのみ灯具本体４の傾動が可能となるように構成されている。灯具本体４と第２ビス９４との間の摩擦力は、灯具本体４が第２ビス９４を締め付ける力によって発生する。斯かる構成により、灯具本体４の姿勢を維持することができる。なお、第２ビス９４が挿入される灯具本体４の貫通孔に、第２ビス９４を締め付ける力を調整するための部材（例えば、ゴム材）を設けてもよい。
【００２７】
続いて、図２を参照して照明ユニット１の構成を説明する。図２は、照明ユニット１を示す他の部分断面図である。詳しくは、図２は、図１とは異なる方向から見た照明ユニット１を示す。なお、図２は、図１を参照して説明した第２軸Ａ２（第２ビス９４の軸心）を中心に９０度傾動させた灯具本体４を二点鎖線によって示している。
【００２８】
図２に示すように、照明ユニット１は、電源ユニット３から発光素子アレイ５１へ電力を供給するための電力線１１を更に備える。発光素子アレイ５１は、電力線１１を介して供給された電力によって点灯する。電力線１１は、電力線収納空間７を介して灯具本体４の外側へ導出される。
【００２９】
詳しくは、天板８が電力線挿通部８２を有する。電力線挿通部８２は、電力線収納空間７を灯具本体４の外側の空間に連通させる。電力線１１は、電力線挿通部８２を挿通されて電力線収納空間７から灯具本体４の外側へ導出される。本実施形態では、電力線挿通部８２は、天板８の縁に形成された切り欠きからなる。なお、電力線挿通部８２として、天板８に貫通孔が形成されてもよい。
【００３０】
灯具本体４の外側へ導出された電力線１１は、電源ユニット３に接続される。本実施形態では、連結アーム９３に貫通孔が形成されており、電力線１１は連結アーム９３の貫通孔を介して電源ユニット３の内部に導入される。
【００３１】
電源ユニット３は、電源装置３１を備える。電源装置３１には、例えば商用電源のような電源から電源電圧が供給される。電源装置３１は、電源電圧に基づき、電力線１１を介して発光素子アレイ５１に供給される電力を生成する。具体的には、電源装置３１は、交流電源電圧を変圧するとともに、変圧後の交流電源電圧を直流電源電圧に変換する。更に、電源装置３１は、直流電源電圧に基づいて定電流を生成する。この定電流が、電力線１１を介して発光素子アレイ５１へ供給される。なお電源装置３１は、調光のために定電流の電流値を調整してもよい。
【００３２】
電力線収納空間７は、電力線１１の一部を収納するために用いられる。詳しくは、電力線収納空間７は、作業者が灯具本体４を旋回させたり、傾動させたりして、光の照射方向を設定した後（灯具本体４の姿勢を設定した後）に、電力線１１の余剰長さ分を収納するために用いられる。例えば、作業者は、光の照射方向を設定した後、灯具本体４の外側の空間において浮遊する電力線１１の一部（電力線１１の余剰長さ分）を、天板８の電力線挿通部８２を介して電力線収納空間７内へ押し込む。
【００３３】
続いて図３（ａ）及び図３（ｂ）を参照して、電力線収納空間７において電力線１１を固定する構成について説明する。図３（ａ）は照明ユニット１の一部を拡大して示す拡大断面図であり、図３（ｂ）は照明ユニット１の一部を拡大して示す他の拡大断面図である。詳しくは、図３（ａ）及び図３（ｂ）は、図１及び図２を参照して説明した電力線収納空間７の底面の近傍を拡大して示している。また、図３（ｂ）は、図３（ａ）とは異なる方向から見た電力線収納空間７を示す。
【００３４】
図３（ａ）及び図３（ｂ）に示すように、照明器具２は、固定部材２０を更に備える。固定部材２０には、例えば張力止め部品を使用し得る。固定部材２０は、電力線収納空間７において電力線１１を固定する。斯かる構成によれば、電力線１１の挿脱方向の変位が規制されるため、電力線１１が電力線収納空間７に必要以上に入り込んだり、電力線収納空間７から必要以上に引き出されたりすることを防ぐことができる。
【００３５】
本実施形態では、固定部材２０が、電力線収納空間７の底面に第３ビス２１によって固定される。電力線収納空間７の底面は、図１及び図２を参照して説明した天板８に対向する面である。
【００３６】
続いて図４を参照して、灯具本体４を旋回させる構成について説明する。即ち、連結アーム９３が電源ユニット３によって旋回可能に支持される構成について説明する。図４は、照明ユニット１の他の一部を拡大して示す拡大断面図である。詳しくは、図４は、電源ユニット３の一部を拡大して示している。
【００３７】
図４に示すように、照明ユニット１は、電源ユニット３に設けられた旋回機構２５を備える。旋回機構２５は、突出部２５１の外周面に形成された第１機構２６と、ナット２５２の内周面に形成された第２機構２７とを有する。
【００３８】
突出部２５１は連結アーム９３に設けられている。第１機構２６は、突出部２５１を旋回可能に支持させるための機構である。突出部２５１は、電源ユニット３の筐体３２に形成された開口３２ａに挿入される。
【００３９】
第１機構２６は、第１軸Ａ１に沿って交互に形成された山部と谷部とからなる。第２機構２７は、第１軸Ａ１に沿って交互に形成された山部と谷部とからなる。第１機構２６の山部と谷部とに、第２機構２７の谷部と山部とがそれぞれ対応している。換言すると、第１機構２６の山部及び谷部に、第２機構２７の谷部及び山部を噛合させることができる。したがって、電源ユニット３の筐体３２内おいて突出部２５１にナット２５２を螺合させることができる。斯かる構成により、連結アーム９３の突出部２５１が旋回可能に支持される。
【００４０】
なお、本実施形態では、電力線１１が、連結アーム９３に形成されている貫通孔９３ａを介して電源ユニット３の内部に導入される。したがって、開口３２ａとは別に、電力線１１を導入するための開口を電源ユニット３の筐体３２に設ける必要がない。
【００４１】
以上説明した本実施形態によれば、灯具本体４が有する電力線収納空間７に電力線１１の一部（電力線１１の余剰長さ分）を収納することができる。したがって、灯具本体４の外側の空間において浮遊する電力線１１の量（長さ）を抑制することができ、ひいては、照明器具２の外観体裁をより良好にすることができる。
【００４２】
また、本実施形態によれば、ヒートシンク６の内側の空間を電力線収納空間７として活用することができる。したがって、電力線１１を収納するために、灯具本体４に別途空間を形成する必要がない。
【００４３】
また、本実施形態によれば、固定部材２０が電力線収納空間７において固定される。斯かる構成により、例えば固定部材２０が灯具本体の外側面に固定される場合に比べて、照明器具２の外観体裁をより良好にすることができる。
【００４４】
以上、図面を参照しながら本発明の実施形態について説明した。但し、本発明は、上記の実施形態に限られるものではなく、その要旨を逸脱しない範囲で種々の態様において実施することが可能である。
【００４５】
例えば、本発明の実施形態では、光源がＬＥＤアレイである場合について説明したが、光源はＬＥＤアレイに限定されるものではない。例えば、光源は、１個のＬＥＤによって構成され得る。又は、光源は蛍光灯であってもよい。この場合、電源装置３１は、例えば、変圧器及びインバーターを含み、低周波数の交流電源電圧を高周波数の交流電源電圧に変換して光源に供給する。又は、光源は白熱電球であってもよい。この場合、電源装置３１は、例えば、交流電源電圧を変圧して光源に供給する。
【００４６】
また、本発明の実施形態では、固定部材２０が電力線収納空間７の底面に固定される形態について説明したが、本発明はこれに限定されない。電力線収納空間７において電力線１１を固定できる限り、固定部材２０が固定される位置は任意であり得る。例えば、固定部材２０は、電力線収納空間７に面する天板８の内側面（電力線収納空間７の上面）に固定されてもよい。また例えば、電力線収納空間７内に、固定部材２０を固定するための突出部を設けてもよい。
【００４７】
また、本発明の実施形態では、固定部材２０を使用する形態について説明したが、固定部材２０は省略されてもよい。
【００４８】
また、本発明の実施形態では、灯具本体４がレンズ５２を備える形態について説明したが、レンズ５２は省略されてもよい。
【００４９】
また、本発明の実施形態では、灯具本体４がレンズ５２を備える形態について説明したが、灯具本体４は、レンズ５２に替えてカバー部材を備えてもよい。
【００５０】
また、本発明の実施形態では、吊り下げ型の照明器具に本発明を適用した場合について説明したが、本発明は埋め込み型の照明器具にも適用することができる。
【００５１】
また、本発明の実施形態では、電源ユニット３が旋回機構２５を含む構成について説明したが、本発明はこれに限定されない。旋回機構２５を有するユニットが電源ユニット３とは別に設けられてもよい。
【００５２】
また、本発明の実施形態では、傾動及び旋回が可能な照明器具に本発明を適用した場合について説明したが、本発明は傾動及び旋回のうちの一方が可能な照明器具にも適用することができる。また、本発明は、傾動も旋回もできない照明器具に適用することもできる。
【産業上の利用可能性】
【００５３】
本発明は、照明器具の分野において適用することができ、特に、傾動機構や旋回機構を有する照明器具の分野において有用である。
【符号の説明】
【００５４】
１          照明ユニット
２          照明器具
４          灯具本体
６          ヒートシンク
７          電力線収納空間
８          天板
１１        電力線
２０        固定部材
５１        発光素子アレイ
９１、９２  支持アーム
【図１】
2016192302.tif 000003
【図２】
2016192302.tif 000004
【図３】
2016192302.tif 000005
【図４】
2016192302.tif 000006